(57)【特許請求の範囲】
【請求項１】
周面に側孔が形成された軸体と、
前記側孔にサイドノック操作可能に設けられたノックボタンと、
液体を貯留するタンク部と、
先端に先端開口を有し、液体を外部へと案内する液体通路と、
前記液体通路と前記タンク部との間に設けられて開閉を行う弁機構と、
を備え、前記弁機構は、前記ノックボタンのノック操作に連動して軸方向に往復動するスライド部材を備え、前記ノックボタンのノックにより該スライド部材がタンク部からの液体を液体通路へと押し出し、前記ノックボタンのノック解除により液体通路とタンク部とを非連通とし、
前記スライド部材は、ノックボタンのノック操作に連動して軸方向に移動する第１スライド部材と、該第１スライド部材に対して所定軸方向距離だけ相対変位することができ、第１スライド部材に対して遅れを持って移動する第２スライド部材とからなり、
前記弁機構は、第１スライド部材と第２スライド部材が離間したときに前記液体通路と前記タンク部とを連通し、第１スライド部材と第２スライド部材が密着したときに前記液体通路と前記タンク部とを非連通とすることを特徴とするサイドノック式液体繰出し装置。
【請求項２】
前記第２スライド部材は、ノックボタンのノック操作に連動して軸方向に移動する部材と、移動しない部材との両方の部材に接触しており、該移動する部材との間の摩擦力よりも、移動しない部材との間の摩擦力の方が大きいことを特徴とする請求項１記載のサイドノック式液体繰出し装置。
【請求項３】
液体を貯留する第２タンク部と、
前記タンク部と前記第２タンク部との間に設けられて開閉を行う第２弁機構と、
をさらに備え、前記第２弁機構は、前記タンク部と前記第２タンク部とを常時非連通とし、前記ノックボタンのノック解除によりタンク部の圧力が下がったときに、前記タンク部と前記第２タンク部とを連通することを特徴とする請求項１または２記載のサイドノック式液体繰出し装置。
【請求項４】
前記第２タンク部と前記第２弁機構とは軸体に対して分離可能なカートリッジを構成することを特徴とする請求項３記載のサイドノック式液体繰出し装置。
【請求項５】
周面に側孔が形成された軸体と、
前記側孔にサイドノック操作可能に設けられたノックボタンと、
液体を貯留するタンク部と、
先端に先端開口を有し、液体を外部へと案内する液体通路と、
前記液体通路と前記タンク部との間に設けられて開閉を行う弁機構と、
を備え、前記弁機構は、前記ノックボタンのノック操作に連動して軸方向に往復動するスライド部材を備え、前記ノックボタンのノックにより該スライド部材がタンク部からの液体を液体通路へと押し出し、前記ノックボタンのノック解除により液体通路とタンク部とを非連通とし、
液体を貯留する第２タンク部と、
前記タンク部と前記第２タンク部との間に設けられて開閉を行う第２弁機構と、
をさらに備え、前記第２弁機構は、前記タンク部と前記第２タンク部とを常時非連通とし、前記ノックボタンのノック解除によりタンク部の圧力が下がったときに、前記タンク部と前記第２タンク部とを連通し、
前記第２タンク部と前記第２弁機構とは軸体に対して分離可能なカートリッジを構成することを特徴とするサイドノック式液体繰出し装置。
【請求項６】
前記タンク部と前記第２弁機構との間に、カートリッジが取り付けられたときに開き、カートリッジが取り外されたときに閉まる第３弁機構を備えることを特徴とする請求項４または５記載のサイドノック式液体繰出し装置。
【請求項７】
前記第２タンク部の後部には、外部の圧力と等しい背圧を受けて移動するピストンが設けられることを特徴とする請求項３ないし６のいずれか１項に記載のサイドノック式液体繰出し装置。
【請求項８】
周面に側孔が形成された軸体と、
前記側孔にサイドノック操作可能に設けられたノックボタンと、
液体を貯留するタンク部と、
先端に先端開口を有し、液体を外部へと案内する液体通路と、
前記液体通路と前記タンク部との間に設けられて開閉を行う弁機構と、
を備え、前記弁機構は、前記ノックボタンのノック操作に連動して軸方向に往復動するスライド部材を備え、前記ノックボタンのノックにより該スライド部材がタンク部からの液体を液体通路へと押し出し、前記ノックボタンのノック解除により液体通路とタンク部とを非連通とし、
前記ノックボタンには軸方向に対して傾斜するカム面が形成されており、該カム面に摺接可能な第２カム面を備えるスライドカムが設けられ、該スライドカムを介して前記スライド部材に軸方向に移動が伝達され、
前記スライドカムには、前側から後側に向かって高くなるように傾斜する第２カム面が前後に離間してそれぞれ形成されており、前側の第２カム面は、後側の第２カム面に比較して高さが低く、前記後側の第２カム面の傾斜方向に沿った長さは前側の第２カム面の傾斜方向に沿った長さよりも長いことを特徴とするサイドノック式液体繰出し装置。
【発明の詳細な説明】
【技術分野】
【０００１】
本発明は、サイドノックにより化粧用、筆記用、修正用、その他の用途のための液体を繰出すことができるサイドノック式液体繰出し装置に関する。
【背景技術】
【０００２】
従来、この種のサイドノック式液体繰出し装置としては、特許文献１に記載されたものが知られている。これによれば、被繰出し物を収容し、その先端開口から繰出し可能となった先軸と、先軸の側部に先軸に対して出没可能に設けられたノックボタンと、先軸の内部にあって、ノックボタンが作用しノックボタンのノックにより所定方向に回転し、ノック解除により反対方向に回転する回転部材と、被繰出し物を繰出すピストンと、回転部材の回転をピストンの先軸内の軸方向の前進運動に変換するピストンロッドを含む変換機構と、を備える。
【０００３】
【特許文献１】特開２００５−２１２４１８号公報
【発明の開示】
【発明が解決しようとする課題】
【０００４】
しかしながら、特許文献１のサイドノック式液体繰出し装置においては、液体の繰出しと共に、ピストン及びピストンロッドが先軸内を軸方向に移動して被繰出し物を繰出すようになっているために、ピストン及びピストンロッドを収容し及び移動させるための空間を要し、液体の収容空間が限定されるという問題がある。また、そのようなピストン及びピストンロッドの移動空間を必要とするために、カートリッジ式への適用が困難である、という問題がある。また、ピストンが一定量移動するため、特に液体の粘度の高い場合に、液体を貯留するタンク内の圧力がなくなるまでじわじわと液体が漏れ出る液だれ現象が起こる、という問題がある。
【０００５】
本発明は、かかる課題に鑑みなされたもので、空間を有効に利用することができ、液体漏れがないサイドノック式液体繰出し装置を提供することをその目的とする。また、カートリッジ式への適用も簡単に行うことができるサイドノック式液体繰出し装置を提供することを他の目的とする。
【課題を解決するための手段】
【０００６】
上記目的を達成するために、本発明のうち第１の発明は、周面に側孔が形成された軸体と、
前記側孔にサイドノック操作可能に設けられたノックボタンと、
液体を貯留するタンク部と、
先端に先端開口を有し、液体を外部へと案内する液体通路と、
前記液体通路と前記タンク部との間に設けられて開閉を行う弁機構と、
を備え、前記弁機構は、前記ノックボタンのノック操作に連動して軸方向に往復動するスライド部材を備え、前記ノックボタンのノックにより該スライド部材がタンク部からの液体を液体通路へと押し出し、前記ノックボタンのノック解除により液体通路とタンク部とを非連通とすることを特徴とする。
【０００７】
第２の発明は、第１の発明の前記スライド部材が、ノックボタンのノック操作に連動して軸方向に移動する第１スライド部材と、該第１スライド部材に対して所定軸方向距離だけ相対変位することができ、第１スライド部材に対して遅れを持って移動する第２スライド部材とからなり、
前記弁機構は、第１スライド部材と第２スライド部材が離間したときに前記液体通路と前記タンク部とを連通し、第１スライド部材と第２スライド部材が密着したときに前記液体通路と前記タンク部とを非連通とすることを特徴とする。
【０００８】
第３の発明は、第２の発明の前記第２スライド部材が、ノックボタンのノック操作に連動して軸方向に移動する部材と、移動しない部材との両方の部材に接触しており、該移動する部材との間の摩擦力よりも、移動しない部材との間の摩擦力の方が大きいことを特徴とする。
【０００９】
第４の発明は、第１ないし第３の発明のいずれかのものにおいて、液体を貯留する第２タンク部と、
前記タンク部と前記第２タンク部との間に設けられて開閉を行う第２弁機構と、
をさらに備え、前記第２弁機構は、前記タンク部と前記第２タンク部とを常時非連通とし、前記ノックボタンのノック解除によりタンク部の圧力が下がったときに、前記タンク部と前記第２タンク部とを連通することを特徴とする。
【００１０】
第５の発明は、第４の発明の前記第２タンク部の後部には、外部の圧力と等しい背圧を受けて移動するピストンが設けられることを特徴とする。
【００１１】
第６の発明は、第４または第５の発明の前記第２タンク部と前記第２弁機構とは軸体に対して分離可能なカートリッジを構成することを特徴とする。
【００１２】
第７の発明は、第６の発明の前記タンク部と前記第２弁機構との間に、カートリッジが取り付けられたときに開き、カートリッジが取り外されたときに閉まる第３弁機構を備えることを特徴とする。
【００１３】
第８の発明は、第１ないし第７の発明のいずれかのものにおいて、前記先端開口を覆うことが可能で、軸体の少なくとも一部に着脱可能に被着されるキャップをさらに備え、該キャップは、被着時に前記ノックボタンを覆うことを特徴とする。
【００１４】
第９の発明は、第１ないし第８の発明のいずれかの前記ノックボタンには、軸方向に対して傾斜するカム面が形成されており、該カム面に摺接可能な第２カム面を備えるスライドカムが設けられ、該スライドカムを介して前記スライド部材に軸方向に移動が伝達されることを特徴とする。
【００１５】
第１０の発明は、第９の発明の前記スライドカムには、前側から後側に向かって高くなるように傾斜する第２カム面が前後に離間してそれぞれ形成されており、前側の第２カム面は、後側の第２カム面に比較して高さが低く、前記後側の第２カム面の傾斜方向に沿った長さは前側の第２カム面の傾斜方向に沿った長さよりも長いことを特徴とする。
【発明の効果】
【００１６】
本発明によれば、ノックボタンのノック操作に連動して軸方向に往復動するスライド部材を備えており、ノックボタンのノック操作をしていないときには、タンク部がスライド部材から押圧を受けないようにすることができ、また、ノックボタンのノックによりスライド部材がタンク部からの液体を液体通路へと押し出し、ノックボタンのノック解除により液体通路とタンク部とを非連通とするようになっているため、液漏れの恐れが少なく、また、スライド部材の往復動によって液体を繰出すために、液体の収容空間が損なわれることなく、空間を有効に利用することができる。
【００１７】
第２の発明によれば、第１スライド部材と第２スライド部材との協働により、弁機構の開閉を確実に行うことができる。
【００１８】
第３の発明によれば、摩擦力の相違によって、第２スライド部材が第１スライド部材よりも確実に遅延して動作することができる。
【００１９】
第４の発明によれば、タンク部を一時貯留部とし、第２タンク部に液体を主として貯留することができ、第２弁機構によって、第２タンク部からタンク部への液体の移動を規制することができる。
【００２０】
第５の発明によれば、液体の消耗と共に、ピストンが移動して第２タンク部の容積を変更することができる。
【００２１】
第６の発明によれば、カートリッジを構成することで、第２タンク部の液体が消費されたときまたは液体を交換したいときに、液体の補給または交換を可能にすることができる。また、カートリッジが単体として存在しているときに、第２弁機構によって、第２タンク部からの液漏れを防ぐことができる。
【００２２】
第７の発明によれば、カートリッジの着脱の際に、第３弁機構によって、タンク部からの液漏れを防ぐことができる。
【００２３】
第８の発明によれば、キャップが被着された不使用時には、ノックボタンが覆われてノック操作をすることができないために、誤って液体が繰出されることを防ぐことができる。
【００２４】
第９の発明によれば、ノック操作によるノックボタンからの軸方向に対して直交する方向の力をカム面によって軸方向の力に変換することができると共に、それをスライドカムを介してスライド部材に伝達することによって、直接にスライド部材に軸方向に直交する力が作用することを防ぎ、スライド部材に軸方向以外の変位が発生することを防ぐことができる。
【００２５】
第１０の発明によれば、第２カム面が前側から後側に向かって高くなるように傾斜していることから、ノックボタンがノックされたときに、スライドカムは後方へと移動することができ、且つ、スライドカムの前側の第２カム面の方が後側の第２カム面よりも低くなっていることから、前側の第２カム面によって大きく制約されずにノックボタンのノックストロークを確保することができ、且つノックボタンのカム面とスライドカムの第２カム面との摺接状態を維持することができる。
【発明を実施するための最良の形態】
【００２６】
以下、図面を用いて本発明の実施の形態を説明する。
図１は本発明の第１実施形態に係るサイドノック式液体繰出し装置の全体正面図、図２は不使用時の横縦断面図である。
【００２７】
サイドノック式液体繰出し装置１０は、大別して、先端から液体を吐出する本体１２と、本体１２に対して着脱可能に被着されるキャップ１４と、を備える。
【００２８】
本体１２は、前部分２０と後部分２２とからなり、後部分２２は、後述のようにカートリッジとなっており、前部分２０に対して着脱可能となっている。
【００２９】
前部分２０は、軸体としての先軸３０を備えており、先軸３０には、図３に示すように、その後周面に後部分２２と着脱可能に連結するためのネジ部３０ａが形成され、周面にはノックボタン３２を配設するための側孔３０ｂが形成される。また、先軸３０の内周面には周方向に適宜離間して、複数の軸方向に延びる回り止め用リブ３０ｃが形成される（図４，６参照）。尚、軸体としての先軸３０は一体品に限らず複数部品から構成してもよい。
【００３０】
ノックボタン３２は、図４に示すように、横断面がコ字状形状をなしており、その両側の脚部分が、側孔３０ｂから先軸３０内へと挿入されている。図５に示すように、その脚部分の先端には、軸方向に対して傾斜して後方に面したカム面３２ａが形成される。カム面３２ａは、各脚部分の前後に軸方向に離間して２つ形成される。また、各脚部分の側面には、抜け止めリブ３２ｂが形成されており、抜け止めリブ３２ｂは、側孔３０ｂの内側にある先軸３０の内周面に当接して、ノックボタン３２の抜け止めを行い（図４（ａ））、ノックされていない状態のノックボタン３２の位置決めを行うようになっている。
【００３１】
先軸３０内には、先軸３０に対して軸方向に移動可能にガイドパイプ３４及びガイドパイプ３４の先端に密閉性を保持して一体的に嵌合される先具３６が配設される。先具３６が、図６に示すように、先軸３０の複数の回り止め用リブ３０ｃのいずれかに嵌合することで、ガイドパイプ３４及び先具３６は、先軸３０に対して相対回転不能となる。ガイドパイプ３４には、その後部に鍔部３４ａが形成される。
【００３２】
ガイドパイプ３４及び先具３６はそれらの内部で液体通路を画成しており、これらのガイドパイプ３４及び先具３６内を通り、先具３６の先端開口３６ａから液体が外部へと吐出されるようになっている。
【００３３】
ガイドパイプ３４の外周側には、スライドカム３８が配設される。スライドカム３８は、先軸３０の回り止め用リブ３０ｃのいずれかに嵌合することで、先軸３０に対して相対回転不能に且つ軸方向に移動可能となっている。また、スライドカム３８の後端は前記ガイドパイプ３４の鍔部３４ａに当接している。
【００３４】
スライドカム３８は、横断面がノックボタン３２と反対向きとなった断面コ字状をなしており、その両側の脚部分には、前記ノックボタン３２のカム面３２ａ、３２ａと摺接し、軸方向に対して前側から後側に向かって高くなるように傾斜して前方に面したカム面３８ａ、３８ｂが形成される。図５に示すように、前側のカム面３８ａの高さは後側のカム面３８ｂよりも低くなっており、即ち、前側のカム面３８ａの軸方向に直交する方向の高さ寸法は後側のカム面３８ａの軸方向に直交する方向の高さ寸法よりも小さくなっており、前側のカム面３８ａの傾斜方向に沿った長さよりも、後側のカム面３８ｂの傾斜方向に沿った長さの方が長くなっている。
【００３５】
ノックボタン３２がノックされて、先軸３０内へと押し込まれると、カム面３２ａとカム面３８ａとの摺接により、スライドカム３８が後方へと移動する。この際に、カム面３８ａの高さを低くすることによって、ノックボタン３２がノックされてカム面３８ａの頂部に当接するまでのノックボタン３２のノックストロークを大きく確保することができる（図５（ｂ））。その一方で、カム面３８ｂの傾斜面の長さが長くなっていることから、ノックボタン３２が押圧されていないときにも、カム面３８ｂはカム面３２ａとの接触面積を大きくとることができて、ノックボタン３２は安定することができるようになっている（図５（ａ））。ノックボタン３２がノックされてスライドカム３８が後方へと移動すると、スライドカム３８の後端がガイドパイプ３４の鍔部３４ａを押圧するために、ガイドパイプ３４及び先具３６が後方へと移動する。
【００３６】
スライドカム３８とガイドパイプ３４とは一体に形成することも可能であるが、このように別体に形成することにより、ノック操作によるノックボタン３２からの軸方向に対して垂直な力をスライドカム３８が受けて、カム面３８ａで軸方向の力に変換することで、ガイドパイプ３４には軸方向の力のみが作用し、軸方向に対して垂直な力が直接作用しないようにすることができる。これによって、液体通路を形成するガイドパイプ３４の軸方向以外の変位を抑えることができる。そして、後述のスライドパッキン４８の密閉性を確保することもできる。
【００３７】
先軸３０内には、弁機構４０が設けられる。弁機構４０は、図７に拡大して示したように、ガイドパイプ３４に密閉性を保持して一体的に嵌合されるスライドバルブ４２と、スライドバルブ４２の後方に離間して設けられるストッパー４４と、スライドバルブ４２とストッパー４４との間に介挿されるノックスプリング４６と、ガイドパイプ３４とスライドバルブ４２との外周側に配設されるスライドパッキン４８と、先軸３０に対して後方から圧入固定される中筒５０とを有する。
【００３８】
スライドバルブ４２は、その内部がガイドパイプ３４の液体通路に繋がっており、その周面には１８０度間隔で一対の流通孔４２ａが形成され、流通孔４２ａよりも後方の外周面には鍔部４２ｂが形成される。
【００３９】
スライドパッキン４８は、合成ゴム、天然ゴム、熱可塑性エラストマーといった弾性材料からなり、ガイドパイプ３４の鍔部３４ａとスライドバルブ４２の鍔部４２ｂとの間に配設されるが、その軸方向長さは、鍔部３４ａと鍔部４２ｂとの間の間隔よりも若干小さく設定される。そして、図８に示すように、スライドパッキン４８の内周面には、ガイドパイプ３４の外周面に弾接する段部４８ａが形成され、外周面には、中筒５０の内周面に弾接する段部４８ｂ、４８ｂが形成される。これらの段部４８ａ、４８ｂは、ガイドパイプ３４と中筒５０との間で密閉性を保持すると共に、それらの間でそれぞれ摺動抵抗を発生するが、中筒５０と段部４８ｂ、４８ｂとの間の静摩擦力の方が、ガイドパイプ３４と段部４８ａとの間の静摩擦力よりも大きくなるように設定されている。よって、ガイドパイプ３４及びガイドパイプ３４と共にスライドバルブ４２が移動するときに、これらが移動を開始した後、鍔部３４ａまたは鍔部４２ｂのいずれか一方によってスライドパッキン４８が押されることで、スライドパッキン４８が移動を開始するようになっており、スライドパッキン４８は常にガイドパイプ３４及びスライドバルブ４２よりも遅れて移動を開始する。
【００４０】
ノックスプリング４６は、スライドバルブ４２の鍔部４２ｂとストッパー４４の鍔部４４ａとの間に配設されて、両者を離反する方向へと付勢する。
【００４１】
ストッパー４４の鍔部４４ａよりも後方の周面には１８０度間隔で一対の流通孔４４ｂが形成される。ストッパー４４の後端は、前記中筒５０に軸方向に直交して形成された仕切壁５０ａの中央部のストッパー受部５０ｂに摺動可能に支持される。ストッパー受部５０ｂ内へとストッパー４４が挿入されると、前記流通孔４４ｂはストッパー受部５０ｂ内で閉鎖されるが、後述の弁ストッパー７２によってストッパー４４が前方へと移動されることによって、流通孔４４ｂはストッパー受部５０ｂ外にあって開放される。こうして、ストッパー４４は、前部分２０の後端の開閉を行う弁機構を構成するようになっている。
【００４２】
中筒５０内のスライドパッキン４８と仕切壁５０ａとによって挟まれた部分が液体を一時的に貯留する一時貯留部であるタンク部５２となる。
【００４３】
以上の前部分２０に対して、後部分２２は一体に連結または形成されるものであってもよいが、この例では、後部分２２は前述のようにカートリッジとして構成される。
【００４４】
図１０に示すように、カートリッジ２２は、有底状となった後軸６０を備え、後軸６０の前部内周面には、前述の先軸３０のネジ部３０ａと螺合するネジ部６０ａが形成され、後軸６０の後端面には、空気流通孔６０ｂが形成される。
【００４５】
後軸６０内には、前部に弁機構６２が配設され、後部にピストン６４が配設されており、後軸６０内の弁機構６２とピストン６４との挟まれた部分が液体を貯留するタンク部６６となる。後軸６０の空気流通孔６０ｂによって、ピストン６４の後方が外気に開放されているために、その背圧を受けて液体の消耗と共にピストン６４は、後軸６０内を密閉性を保持しつつ摺動可能となっている。
【００４６】
弁機構６２は、先栓７０と、弁ストッパー７２と、弁７４と、弁スプリング７６とを有する。
【００４７】
先栓７０は、後軸６０内に密閉性を保持しつつ圧入固定される。そして、その中央部には弁７４を受ける弁座７０ａが形成され、その径方向外側には、前記中筒５０の後端が挿入される環状溝７０ｂが形成される。
【００４８】
弁ストッパー７２は、先栓７０の前方から圧入固定され、弁ストッパー７２と先栓７０との間に形成される空間内に、前記弁７４が配設される。
【００４９】
弁７４は、その前部分が図９に示すように、断面三角形形状をなしており、その側面に沿って液体が流通できるようになっており、また、その外周面に鍔部７４ａが形成され、その後部が弁部分７４ｂとなっている。鍔部７４ａと弁ストッパー７２との間に介挿される前記弁スプリング７６によって、弁７４の弁部分７４ｂは常時、先栓７０の弁座７０ａへと押し付けられている。
【００５０】
以上のように構成されるカートリッジ２２では、図１０に示すように、前部分２０に連結される前の単体状態においては、弁７４が上述のように弁座７０ａへと押し付けられて弁閉鎖状態となっているために、タンク部６６に収容される液体は漏れることのないようになっている。
【００５１】
また、前部分２０においては、ノックスプリング４６がストッパー４４を後方へと押圧しており、ストッパー４４の流通孔４４ｂは中筒５０のストッパー受部５０ｂによって覆い隠されるために、タンク部５２内に液体が貯留されていたとしても、それが漏れることのないようになっている。
【００５２】
このカートリッジ２２を前部分２０に取り付けるには、後軸６０のネジ部６０ａを先軸３０のネジ部３０ａに螺着する。これによって、中筒５０の後端が、前記先栓７０の環状溝７０ｂに挿入し、ストッパー４４の後端に弁ストッパー７２の前端が当接し、弁７４の前部分がストッパー４４内部へと挿入される。こうして、本体１２が組み立てられる。ストッパー４４は弁ストッパー７２によって前方へと押圧されるために、ストッパー４４の流通孔４４ｂは、ストッパー受部５０ｂから脱出して開放される。
【００５３】
不使用時に、本体１２に対してキャップ１４を被着することにより、キャップ１４は、ノックボタン３２を覆い隠す。これによってノックボタン３２のノック操作は不可能となるために、キャップ１４を被着した保管状態での液漏れの恐れはない。この状態においては、ノックスプリング４６の付勢力によって、スライドバルブ４２の鍔部４２ｂがスライドパッキン４８と密着しているため、タンク部５２からの液体がガイドパイプ３４へと流れることもなく、タンク部５２は加圧状態にもなく、液体は漏れることがない。
【００５４】
次に、使用する際には、キャップ１４を取り外し、図１１に示すように、ノックボタン３２をノックする。すると、前述のように、スライドカム３８が後方へと移動して、ガイドパイプ３４及びスライドバルブ４２が後方へと移動する。このとき、スライドパッキン４８は、直ぐに移動せずに、鍔部３４ａによって押圧されて遅れて移動する。このため、スライドバルブ４２とスライドパッキン４８との間に隙間が形成された状態で、スライドパッキン４８がタンク部５２内を移動するために、タンク部５２からの液体が押し出されてスライドバルブ４２の流通孔４２ａを通り、ガイドパイプ３４及び先具３６の液体通路を通り、先端開口３６ａから吐出して使用に供されることができる。また、ノックボタン３２のノックを解除すると、図１２に示すように、ノックスプリング４６の付勢力によって、スライドバルブ４２及びガイドパイプ３４が前方へと戻るが、このときに、スライドパッキン４８は、直ぐに移動せずに、鍔部４２ｂによって押圧されて遅れて移動する。このため、スライドバルブ４２とスライドパッキン４８とが密着された状態で移動するため、弁機構４０は、閉鎖状態となる。そのため、タンク部５２は減圧状態となるので、弁機構６２において、弁７４が弁座７０ａから離反して開放され、タンク部６６からの液体がタンク部５２へと吸引される。タンク部６６では、タンク部５２へと移動した液量分だけ、ピストン６４が移動する。
【００５５】
弁機構６２は、常に閉鎖状態を維持しており、ノックボタン３２のノックが解除されてタンク部５２が減圧されたときのみ、開放されるが、タンク部６６からタンク部５２に液体が入った後は、再び閉鎖されるために、タンク部６６から出た液体がタンク部６６に戻ることはない。
【００５６】
このように本発明の液体繰出し装置では、サイドノックによって液体を繰り出すことができ、且つ、スライドバルブ４２及びスライドパッキン４８が往復動するだけであるので、液体の収容空間が損なわれることなく、空間を有効に利用することができる。これらのスライドバルブ４２及びスライドパッキン４８は、液体繰出し装置の後部空間を占有しないために、後部の弁機構６２及びタンク部６６をカートリッジ２２として構成することができる。
【００５７】
タンク部６６内の液体が消費されたときまたは液体を交換したいときには、カートリッジ２２を取り外してカートリッジ２２の交換を行うが、この際には、カートリッジ２２を取り外すと、ノックスプリング４６がストッパー４４を後方へと押圧して、ストッパー４４の流通孔４４ｂを中筒５０のストッパー受部５０ｂによって覆い隠すために、タンク部５２内に液体が残っていたとしても、それが漏れることはない。
【００５８】
以上の例は、使用される液体として高粘度の液体に適しているが、粘度が低い場合には、図１３に示すように、先端開口にブラシを設け、ブラシによって液体を塗布する構成とすることが可能である。液体の粘度が低い場合には、液体通路に余剰液体を吸収する液体吸収体７７を設けることも可能である。液体吸収体は、粘度に応じて気孔率を設定するとよい。または、ブラシ７８の代わりに、先端開口に軟質の塗布体を設け、塗布体によって液体を塗布する構成とすることも可能である。
【００５９】
このように液体としては、任意の粘度のものとすることができ、流動状のものであってもよい。
【００６０】
また、以上の実施形態では、カートリッジが後軸６０を含んでいたが、図１４に示すように、後軸６０とは別にカートリッジを設けることも可能である。この場合のカートリッジは、後軸とは別にタンクケース８０を備えており、先栓７０を中筒５０に着脱可能に係止した後、後軸６０を先軸３０に螺着している。
【００６１】
また、以上の実施形態では、カートリッジ式としているために、タンク部５２とタンク部６６とが夫々設けられていたが、これらのタンク部を連通させて１つのタンク部として弁機構６２を省略し、ストッパー４４をタンク部内の固定部材とすることも可能である。
【００６２】
以上の例において１つの部品として例示した部品を複数部品で構成し、または複数部品として例示したものを１つの部品として構成することができる。
【図面の簡単な説明】
【００６３】
【図１】本発明の実施形態に係るサイドノック式液体繰出し装置のキャップを外した状態での全体平面図である。
【図２】本発明の実施形態に係るサイドノック式液体繰出し装置の全体断面図である。
【図３】先軸の縦断面図である。
【図４】図２の４−４線に沿って見た断面図であり（キャップを除く）、(ａ)はノックボタンが上がっている状態、（ｂ）はノックボタンが下がっている状態を示す。
【図５】ノックボタンとスライドカムの側面から見た図であり、(ａ)はノックボタンが上がっている状態、（ｂ）はノックボタンが下がっている状態を示す。
【図６】図２の６−６線に沿って見た断面図である（キャップを除く）。
【図７】弁機構の拡大断面図である。
【図８】スライドパッキンの縦断面図である。
【図９】図２の９−９線に沿って見た断面図である。
【図１０】カートリッジを前部分に連結する前の状態を表す縦断面図である。
【図１１】ノックボタンをノックした状態の縦断面図である。
【図１２】ノックボタンのノックを解除したときの縦断面図である。
【図１３】先端開口にブラシを設けた変形例を表す縦断面図である（キャップを除く）。
【図１４】カートリッジの変形例を表す縦断面図であり（キャップを除く）、(ａ)は全体図、（ｂ）はカートリッジ、（ｃ）は後軸を示す。
【符号の説明】
【００６４】
１０  サイドノック式液体繰出し装置
１２  本体
１４  キャップ
２２  後部分（カートリッジ）
３０  先軸（軸体）
３０ｂ  側孔
３２  ノックボタン
３２ａ  カム面
３４  ガイドパイプ
３６  先具
３６ａ  先端開口
３８  スライドカム
３８ａ  カム面（第２カム面）
４０  弁機構
４２  スライドバルブ（スライド部材）
４４  ストッパー(第３弁機構)
４８  スライドパッキン（スライド部材）
５２  タンク部
６２  弁機構（第２弁機構）
６４  ピストン
６６  タンク部（第２タンク部）
【図１】
0005280109.tif 000002
【図２】
0005280109.tif 000003
【図３】
0005280109.tif 000004
【図４】
0005280109.tif 000005
【図５】
0005280109.tif 000006
【図６】
0005280109.tif 000007
【図７】
0005280109.tif 000008
【図８】
0005280109.tif 000009
【図９】
0005280109.tif 000010
【図１０】
0005280109.tif 000011
【図１１】
0005280109.tif 000012
【図１２】
0005280109.tif 000013
【図１３】
0005280109.tif 000014
【図１４】
0005280109.tif 000015